(57)【要約】【課題】仮設費を削減できる仮設ステージを提供する空調システムを提供すること。【解決手段】仮設ステージ３０は、建物１の鉛直方向に連続するエレベータ開口２０に設けられる。この仮設ステージは、建物１のｎ階のエレベータ開口２０に、取り外し可能に設けられた第１揚重ステージ３１と、建物１の（ｎ−２）階のエレベータ開口２０に、取り外し可能に設けられた第２揚重ステージ３２と、この第２揚重ステージ３２から吊り下げられて、（ｎ−３）階、（ｎ−４）階に位置する仕上げステージ３３、３４と、を備え、第１揚重ステージ３１は、エレベータ開口２０に取り付けられる枠部と、この枠部で囲まれた揚重開口を開閉する蓋部と、を備える。【選択図】図１
2009256963.tif 000002
【特許請求の範囲】
【請求項１】
構造物の鉛直方向に連続する開口に設けられる仮設ステージであって、
前記構造物の第１の階層の開口に、取り外し可能に設けられた第１揚重ステージと、
前記第１の階層よりも下方の第２の階層の開口に、取り外し可能に設けられた第２揚重ステージと、
当該第２揚重ステージから吊り下げられて、前記第２の階層よりも下方の階層に位置する仕上げステージと、を備え、
前記第１揚重ステージは、前記開口に取り付けられる枠部と、この枠部で囲まれた揚重開口を開閉する蓋部と、を備えることを特徴とする仮設ステージ。
【発明の詳細な説明】
【技術分野】
【０００１】
本発明は、仮設ステージに関する。詳しくは、構造物の鉛直方向に連続する開口に設けられる仮設ステージに関する。
【背景技術】
【０００２】
従来より、建築物には、鉛直方向に移動するエレベータが設けられるが、このエレベータは、この建築物内に設けられたエレベータシャフトに収容されている。
このような建築物を施工する際、エレベータシャフトに資材が落下するのを防止するため、各階に仮設のデッキプレートを敷設することが行われる（特許文献１参照）。
【特許文献１】特開平７−１４９４８３号公報
【発明の開示】
【発明が解決しようとする課題】
【０００３】
しかしながら、以上の手法では、建築物が高層化すると、仮設デッキプレートの数量が増大するため、仮設デッキプレートの材料費、設置手間、解体手間が増えて、仮設費が上昇する、という問題があった。
【０００４】
本発明は、仮設費を削減できる仮設ステージを提供することを目的とする。
【課題を解決するための手段】
【０００５】
（１）請求項１に記載の発明に係る仮設ステージは、構造物の鉛直方向に連続する開口に設けられる仮設ステージであって、前記構造物の第１の階層の開口に、取り外し可能に設けられた第１揚重ステージと、前記第１の階層よりも下方の第２の階層の開口に、取り外し可能に設けられた第２揚重ステージと、当該第２揚重ステージから吊り下げられて、前記第２の階層よりも下方の階層に位置する仕上げステージと、を備え、前記第１揚重ステージは、前記開口に取り付けられる枠部と、この枠部で囲まれた揚重開口を開閉する蓋部と、を備えることを特徴とする。
【０００６】
この発明によれば、第１の階層の開口に第１揚重ステージを設け、第２の階層の開口に第２揚重ステージを設けた。よって、仮設デッキプレートが不要となり、仮設費を削減できる。
また、建設中の構造物では、揚重機により、第２揚重ステージから第１揚重ステージ上に資材を揚重できるうえに、第１揚重ステージの蓋部を開いておくことで、揚重機により、第１揚重ステージを通して第２揚重ステージ上に資材を投入できる。よって、例えば、床スラブに揚重用の駄目開口を設けることができない場合でも、エレベータシャフトを利用して資材を移動できる。
また、第１揚重ステージおよび第２揚重ステージを各開口に取り外し可能に設けたので、任意の階層間で資材を移動できる。
また、第１揚重ステージおよび第２揚重ステージを利用して、開口廻りの仕上げ工事を行うことができる。
【０００７】
また、第２の階層よりも下方の階層に仕上げステージを設けたので、例えば、この仕上げステージを利用して、開口廻りの仕上げ工事を行うことができる。
また、この仕上げステージを第２揚重ステージから吊り下げたので、仕上げステージを第２揚重ステージとともに容易に移動できる。
【発明の効果】
【０００８】
本発明によれば、第１の階層の開口に第１揚重ステージを設け、第２の階層の開口に第２揚重ステージを設けた。よって、仮設デッキプレートが不要となり、仮設費を削減できる。また、建設中の構造物では、揚重機により、第２揚重ステージから第１揚重ステージ上に資材を揚重できるうえに、第１揚重ステージの蓋部を開いておくことで、揚重機により、第１揚重ステージを通して第２揚重ステージ上に資材を投入できる。よって、例えば、床スラブに揚重用の駄目開口を設けることができない場合でも、エレベータシャフトを利用して資材を移動できる。また、第１揚重ステージおよび第２揚重ステージを各開口に取り外し可能に設けたので、任意の階層間で資材を移動できる。また、第１揚重ステージおよび第２揚重ステージを利用して、開口廻りの仕上げ工事を行うことができる。また、第２の階層よりも下方の階層に仕上げステージを設けたので、例えば、この仕上げステージを利用して、開口廻りの仕上げ工事を行うことができる。また、この仕上げステージを第２揚重ステージから吊り下げたので、仕上げステージを第２揚重ステージとともに容易に移動できる。
【発明を実施するための最良の形態】
【０００９】
以下、本発明の実施形態を図面に基づいて説明する。
図１および図２は、本発明の一実施形態に係る仮設ステージ３０が適用された構造物としての建物１の断面図である。
建物１は、プレキャスト鉄筋コンクリート構造であり、積層工法で施工中である。この建物１には、鉛直方向に延びるエレベータシャフト２が形成され、このエレベータシャフト２には、仮設ステージ３０が設けられている。
【００１０】
エレベータシャフト２は、各階の矩形状のエレベータ開口２０が鉛直方向に連続して形成されている。各エレベータ開口２０の周囲には、大梁２１、２２と、小梁２３、２４が設けられている。
ここで、大梁２１と小梁２３とは、互いに略平行に延びており、大梁２２と小梁２４とは、互いに略平行に延びている。また、大梁２２には、大梁２１から小梁２３まで延びる片持ちスラブ２５が設けられている。
エレベータ開口２０は、大梁２１、片持ちスラブ２５、小梁２３、小梁２４で囲まれて形成される。
【００１１】
仮設ステージ３０は、ｎ階のエレベータ開口２０に設置された第１揚重ステージ３１と、（ｎ−２）階のエレベータ開口２０に設置された第２揚重ステージ３２と、この第２揚重ステージ３２からチェーンブロック３５で吊り下げられて（ｎ−３）階に位置する第１仕上げステージ３３と、第２揚重ステージ３２からチェーンブロック３６で吊り下げられて（ｎ−４）階に位置する第２仕上げステージ３４と、を備える。
【００１２】
図３は、仮設ステージ３０の第１揚重ステージ３１の平面図である。図４は、図３のＡ−Ａ断面図である。図５は、図３のＢ−Ｂ断面図である。
第１揚重ステージ３１は、エレベータ開口２０を上から塞ぐように配置される。この第１揚重ステージ３１は、エレベータ開口２０を構成する梁２１〜２４上に載置される枠部４０と、この枠部４０で囲まれた揚重開口４５を開閉する蓋部４６と、を備える。
【００１３】
枠部４０は、大梁２１および小梁２３上に跨って互いに略平行に設けられた３本の架設部材４１、４２、４３と、互いに略平行に設けられて架設部材４１と架設部材４２とを連結する４本の連結部材５１、５２、５３、５４と、互いに略平行に設けられて架設部材４２と架設部材４３とを連結する４本の連結部材５５、５６、５７、５８と、を備える。
【００１４】
架設部材４１〜４３は、片持ちスラブ２５の近傍に設けられた架設部材４１、エレベータ開口２０の中央に設けられた架設部材４２、および、小梁２４の近傍に設けられた架設部材４３で構成される。
【００１５】
連結部材５１〜５８は、大梁２１の近傍に設けられた連結部材５１、５５、エレベータ開口２０の中央よりも大梁２１寄りに設けられた連結部材５２、５６、エレベータ開口２０の中央よりも小梁２３寄りに設けられた連結部材５３、５７、および、小梁２３の近傍に設けられた連結部材５４、５８で構成される。
【００１６】
架設部材４１、４２および連結部材５１、５２で囲まれた部分には、鋼板６１が敷設されて溶接固定されている。
架設部材４１、４２および連結部材５３、５４で囲まれた部分には、鋼板６２が敷設されて溶接固定されている。
架設部材４２、４３および連結部材５１、５２で囲まれた部分には、鋼板６３が敷設されて溶接固定されている。
架設部材４２、４３および連結部材５３、５４で囲まれた部分には、鋼板６４が敷設されて溶接固定されている。
【００１７】
連結部材５１には、渡り鋼板５１１が開閉自在に設けられている。この渡り鋼板５１１を大梁２１に架設することにより、架設部材４１、４２、連結部材５１、および大梁２１で囲まれた部分が塞がれる。
架設部材４１には、渡り鋼板４１１が開閉自在に設けられている。この渡り鋼板４１１を片持ちスラブ２５に架設することより、架設部材４１と片持ちスラブ２５との隙間が塞がれる。
連結部材５４には、渡り鋼板５４１が開閉自在に設けられている。この渡り鋼板５４１を小梁２３に架設することにより、架設部材４１、４２、連結部材５４、および小梁２３で囲まれた部分が塞がれる。
【００１８】
連結部材５５には、渡り鋼板５５１が開閉自在に設けられている。この渡り鋼板５５１を大梁２１に架設することにより、架設部材４２、４３、連結部材５５、および大梁２１で囲まれた部分が塞がれる。
架設部材４３には、渡り鋼板４３１が開閉自在に設けられている。この渡り鋼板４３１を小梁２４に架設することにより、架設部材４３と小梁２４との隙間が塞がれる。
連結部材５８には、渡り鋼板５８１が開閉自在に設けられている。この渡り鋼板５８１を小梁２３に架設することにより、架設部材４２、４３、連結部材５８、および小梁２３で囲まれた部分が塞がれる。
【００１９】
枠部４０の四隅には、吊りピース６５が設けられている。具体的には、吊りピース６５は、連結部材５１と架設部材４１の接合部分、連結部材５４と架設部材４１の接合部分、連結部材５５と架設部材４３の接合部分、および、連結部材５８と架設部材４３の接合部分に設けられている。
また、枠部４０には、揚重開口４５を囲んで、手すり６６が設けられている。
【００２０】
以上の仮設ステージ３０では、図示しない吊りワイヤを介して、クレーンのフックを吊りピース６５に連結し、渡り鋼板５１１、４１１、５４１、５５１、４３１、５８１を畳んで、この状態でクレーンを駆動することにより、第１揚重ステージ３１を上下に移動する。
【００２１】
図６は、仮設ステージ３０の第２揚重ステージ３２の平面図である。
第２揚重ステージ３２は、エレベータ開口２０を上から塞ぐように配置される。この第２揚重ステージ３２は、エレベータ開口２０を構成する梁２１〜２４上に載置される一対のステージ部７０Ａ、７０Ｂで構成される。
【００２２】
ステージ部７０Ａは、大梁２１および小梁２３上に跨って互いに略平行に設けられた２本の架設部材７１、７２と、互いに略平行に設けられて架設部材７１と架設部材７２とを連結する４本の連結部材８１、８２、８３、８４と、を備える。
【００２３】
ステージ部７０Ｂは、大梁２１および小梁２３上に跨って互いに略平行に設けられた２本の架設部材７３、７４と、互いに略平行に設けられて架設部材７３と架設部材７４とを連結する４本の連結部材８５、８６、８７、８８と、を備える。
【００２４】
架設部材７１〜７４は、片持ちスラブ２５の近傍に設けられた架設部材７１、エレベータ開口２０の中央よりも片持ちスラブ２５寄りに設けられた架設部材７２、エレベータ開口２０の中央よりも小梁２４寄りに設けられた架設部材７３、および、小梁２４の近傍に設けられた架設部材７４で構成される。
【００２５】
連結部材８１〜８８は、大梁２１の近傍に設けられた連結部材８１、８５、エレベータ開口２０の中央よりも大梁２１寄りに設けられた連結部材８２、８６、エレベータ開口２０の中央よりも小梁２３寄りに設けられた連結部材８３、８７、および、小梁２３の近傍に設けられた連結部材８４、８８で構成される。
【００２６】
架設部材７１、７２および連結部材８１、８４で囲まれた部分には、鋼板９１が敷設されて溶接固定されている。
架設部材７３、７４および連結部材８５、８８で囲まれた部分には、鋼板９２が敷設されて溶接固定されている。
【００２７】
連結部材８１には、渡り鋼板８１１が開閉自在に設けられている。この渡り鋼板８１１を大梁２１に架設することにより、架設部材７１、７２、連結部材８１、および大梁２１で囲まれた部分が塞がれる。
架設部材７１には、渡り鋼板７１１が開閉自在に設けられている。この渡り鋼板７１１を片持ちスラブ２５に架設することより、架設部材７１と片持ちスラブ２５との隙間が塞がれる。
連結部材８４には、渡り鋼板８４１が開閉自在に設けられている。この渡り鋼板８４１を小梁２３に架設することにより、架設部材７１、７２、連結部材８４、および小梁２３で囲まれた部分が塞がれる。
【００２８】
連結部材８５には、渡り鋼板８５１が開閉自在に設けられている。この渡り鋼板８５１を大梁２１に架設することにより、架設部材７３、７４、連結部材８５、および大梁２１で囲まれた部分が塞がれる。
架設部材７４には、渡り鋼板７４１が開閉自在に設けられている。この渡り鋼板７４１を小梁２４に架設することにより、架設部材７４と小梁２４との隙間が塞がれる。
連結部材８８には、渡り鋼板８８１が開閉自在に設けられている。この渡り鋼板８８１を小梁２３に架設することにより、架設部材７３、７４、連結部材８８、および小梁２３で囲まれた部分が塞がれる。
【００２９】
架設部材７３には、渡り鋼板７３１が開閉自在に設けられている。この渡り鋼板７３１を架設部材７２に架設することにより、架設部材７２、７３、大梁２１、および小梁２３で囲まれた部分が塞がれる。
【００３０】
ステージ部７０Ａの四隅には、吊りピース９３が設けられている。具体的には、吊りピース９３は、連結部材８１と架設部材７１の接合部分、連結部材８１と架設部材７２の接合部分、連結部材８４と架設部材７１の接合部分、および、連結部材８４と架設部材７２の接合部分に設けられている。
【００３１】
ステージ部７０Ｂの四隅には、吊りピース９４が設けられている。具体的には、吊りピース９４は、連結部材８５と架設部材７３の接合部分、連結部材８５と架設部材７４の接合部分、連結部材８８と架設部材７３の接合部分、および、連結部材８８と架設部材７４の接合部分に設けられている。
【００３２】
第１仕上げステージ３３および第２仕上げステージ３４は、第２揚重ステージ３２と同様の構成であるが、架設部材７１〜７４が大梁２１および小梁２３上に跨って設けられておらず、大梁２１と小梁２３との間に設けられている点が、第２揚重ステージ３２と異なる。
【００３３】
以上の仮設ステージ３０では、図示しない吊りワイヤを介して、クレーンのフックを第２揚重ステージ３２の吊りピース９３、９４に連結し、第２揚重ステージ３２、第１仕上げステージ３３および第２仕上げステージ３４の渡り鋼板８１１、７１１、８４１、８５１、７４１、８８１、７３１を畳んで、この状態でクレーンを駆動することにより、第２揚重ステージ３２、第１仕上げステージ３３および第２仕上げステージ３４を上下に移動する。
【００３４】
以上の仮設ステージ３０を用いて、建物１を積層工法で建設する手順を、図７を参照しながら説明する。
まず、ｎ階には、第１揚重ステージ３１が設置され、（ｎ−２）階には、第２揚重ステージ３２が設置され、（ｎ−３）階および（ｎ−４）階には、仕上げステージ３３、３４が設置されている。
【００３５】
まず、ＳＴ１では、（ｎ＋１）階では、柱ＰＣを取り付ける。また、床コンクリートが既に打設されているため、エレベータ開口廻りの型枠のみを解体する。さらに、タワークレーンなどの揚重機により、（ｎ−２）階の第２揚重ステージ３２から、ｎ階の第１揚重ステージ３１を通して、解体したサポートを揚重して、この揚重したサポートを組み立てる。
（ｎ−１）階では、一部のサポートを解体し、この解体したサポートをエレベータ開口の付近に集積する。
【００３６】
（ｎ−２）階では、フロアの半分のサポートが解体され、この解体したサポートがエレベータ開口の付近に集積されており、第２揚重ステージ３２が設置されている。よって、この第２揚重ステージ３２を用いて、エレベータ開口の付近に集積されたサポートを、（ｎ＋１）階に揚重する。
（ｎ−３）階では、エレベータ開口廻りの立ち上がりの型枠、配筋が完了しているため、この立ち上がりコンクリートを打設する。
（ｎ−４）階では、耐火被覆を開始する。
【００３７】
次に、ＳＴ２では、ｎ階に設置されていた第１揚重ステージ３１を１階層だけ上方に移動する。
そして、（ｎ＋１）階では、組み立てたサポートを用いて、梁ＰＣを取り付ける。
（ｎ−２）階では、フロアの残り半分の型枠を解体し、この型枠用のサポートをエレベータ開口の付近に集積する。
（ｎ−３）階では、エレベータ開口廻り立ち上がりのコンクリートが打設されているので、この立ち上がりの型枠を解体する。
【００３８】
次に、ＳＴ３では、（ｎ＋１）階では、床ＰＣを取り付ける。
（ｎ−２）階では、フロアの残り半分の型枠が解体され、この型枠用のサポートがエレベータ開口の付近に集積されており、第２揚重ステージ３２が設置されている。よって、この第２揚重ステージ３２を用いて、エレベータ開口の付近に集積されたサポートを、（ｎ＋１）階に揚重する。
（ｎ−３）階では、エレベータ開口廻りの立ち上がりの型枠が既に解体されているので、墨出しを行う。
【００３９】
次に、ＳＴ４では、（ｎ＋１）階では、床ＰＣの取り付けが完了しているため、床スラブの配筋を行う。
（ｎ−２）階では、タワークレーンなどの揚重機により、（ｎ＋１）階の第１揚重ステージ３１を通して、第２揚重ステージ３２に仕上げ材を搬入する。
（ｎ−３）階では、墨出しに従って、エレベータ開口廻り立ち上がり上にＡＬＣ版（軽量発泡コンクリート版）を建て込む。
【００４０】
次に、ＳＴ５では、（ｎ−２）階に設置されていた第２揚重ステージ３２を１階層だけ上方に移動する。これにより、（ｎ−３）階および（ｎ−４）階に設置されていた仕上げステージ３３、３４も１階層だけ上方に移動する。
【００４１】
（ｎ＋１）階では、床スラブの配筋が完了しているため、床コンクリートを打設する。
（ｎ−１）階では、フロアの半分のサポートを解体し、この解体したサポートをエレベータ開口の付近に集積する。
（ｎ−２）階では、エレベータ開口廻りの立ち上がりの型枠、配筋を行う。
【００４２】
以上のＳＴ１〜ＳＴ５の手順を繰り返すことにより、揚重ステージ３１、３２、および仕上げステージ３３、３４を、１階層ずつ上方に移動させながら、建物１を施工する。
【００４３】
本実施形態によれば、以下のような効果がある。
（１）ｎ階のエレベータ開口２０に第１揚重ステージ３１を設け、（ｎ−２）階のエレベータ開口２０に第２揚重ステージ３２を設けた。よって、仮設デッキプレートが不要となり、仮設費を削減できる。
また、建設中の建物１では、揚重機により、第２揚重ステージ３２から第１揚重ステージ３１上に資材を揚重できるうえに、第１揚重ステージ３１の蓋部４６を開いておくことで、揚重機により、第１揚重ステージ３１を通して第２揚重ステージ３２上に資材を投入できる。よって、床スラブに揚重用の駄目開口を設けることができない場合でも、エレベータシャフト２を利用して資材を移動できる。
また、第１揚重ステージ３１および第２揚重ステージ３２を各開口２０に取り外し可能に設けたので、任意の階層間で資材を移動できる。
また、第１揚重ステージ３１および第２揚重ステージ３２を利用して、開口廻りの仕上げ工事を行うことができる。
【００４４】
（２）（ｎ−２）階よりも下方の（ｎ−３）階、（ｎ−４）階のエレベータ開口２０に、仕上げステージ３３、３４を設けたので、例えば、この仕上げステージ３３、３４を利用して、エレベータシャフト２廻りの仕上げ工事を行うことができる。
また、この仕上げステージ３３、３４を第２揚重ステージ３２から吊り下げたので、仕上げステージ３３、３４を第２揚重ステージ３２とともに容易に移動できる。
【００４５】
なお、本発明は前記実施形態に限定されるものではなく、本発明の目的を達成できる範囲での変形、改良等は本発明に含まれるものである。
例えば、本実施形態では、仮設ステージ３０を鉄筋コンクリート造の建物１に適用したが、これに限らず、一般的な鉄筋コンクリート造や鉄骨造の構造物に適用することもできる。
また、本実施形態では、第１仕上げステージ３３および第２仕上げステージ３４を、第２揚重ステージ３２と同様の構成としたが、これに限らず、仕上げステージとして、第２揚重ステージ３２にスーパーラダー（登録商標、ジャパンスチールスインターナショナル株式会社製）を取り付けてもよい。
また、本実施形態では、第１揚重ステージ３１および第２揚重ステージ３２をそれぞれ１つずつ設けたが、これに限らず、第１揚重ステージを複数設けてもよいし、第２揚重ステージを複数設けてもよい。
【図面の簡単な説明】
【００４６】
【図１】本発明の一実施形態に係る仮設ステージが適用された構造物の断面図である。
【図２】前記実施形態に係る仮設ステージが適用された構造物の別の断面図である。
【図３】前記実施形態に係る仮設ステージの第１揚重ステージの平面図である。
【図４】図３のＡ−Ａ断面図である。
【図５】図３のＢ−Ｂ断面図である。
【図６】前記実施形態に係る仮設ステージの第２揚重ステージの平面図である。
【図７】前記実施形態に係る構造物を建設する手順を説明するための図である。
【符号の説明】
【００４７】
１        建物（構造物）
２０      エレベータ開口（開口）
３０      仮設ステージ
３１      第１揚重ステージ
３２      第２揚重ステージ
３３      仕上げステージ
３４      仕上げステージ
４０      枠部
４５      揚重開口
４６      蓋部
【図１】
2009256963.tif 000003
【図２】
2009256963.tif 000004
【図３】
2009256963.tif 000005
【図４】
2009256963.tif 000006
【図５】
2009256963.tif 000007
【図６】
2009256963.tif 000008
【図７】
2009256963.tif 000009